(57)【要約】【課題】身体体形の調整を補助する機能を備えた健康マットレスを提供する。【解決手段】ヘッドクッション部１０とパッド部２０とを含む。ヘッドクッション部は枕部１１を有し、枕部の一方の側は延伸する片体１２であり、片体には複数の結合部１３が設けられる。パッド部は頂面２１と底面２２とを有し、一方の側より他方の側へ向かって徐々に薄くなっている。底面にはヘッドクッション部の片体の結合部位置に相対する結合部２３が設けられる。パッド部が設置される位置により、ヘッドクッション部と前記パッド部との間に溝部が形成される。【選択図】図３
0003129197.tif 000002
【実用新案登録請求の範囲】
【請求項１】
頭部をもたれかけさせるため決められた高さで突起する枕部を有し、前記枕部の一方の側は外側へ向かって延伸する片体であり、該片体の頂面には複数の結合部が設けられるヘッドクッション部と、
頂面及び底面を有し、前記頂面は、一方の側より他方の側へと向かって傾斜し、厚さが一方の側より他方の側へと向かって徐々に薄くなり、前記底面は、前記ヘッドクッション部の片体頂面の結合部と相対する位置には結合部が設けられ、前記ヘッドクッション部の片体の頂面に設置され、結合部により前記片体の結合部と結合され、パッド部が設置される位置に基づき前記ヘッドクッション部と前記パッド部との間の両者間に溝部が形成されるパッド部と、
を備えることを特徴とする健康マットレスの構造。
【請求項２】
前記ヘッドクッション部の片体頂面に設けられた結合部は、二つの粘着テープからなることを特徴とする請求項１に記載の健康マットレスの構造。
【請求項３】
前記パッド部の底面には前記ヘッドクッション部の片体頂面の結合部（１３）に相対して設置された二つの粘着テープからなる結合部があり、前記片体の頂面に設置された粘着テープと互いに貼り合わさることにより、前記パッド部は前記片体上に設置可能であることを特徴とする請求項１に記載の健康マットレスの構造。
【請求項４】
前記ヘッドクッション部の底部には板片が別に設置可能であり、前記板片はプラスチックもしくはその他の似た材質により製造され、前記片体が人体の移動または反転により、移動またはねじれ等を引き起こし、前記溝部の幅に影響を与えないためのサポートに用いられることを特徴とする請求項１に記載の健康マットレスの構造。
【請求項５】
前記パッド部の最も厚みのある箇所の高さは前記ヘッドクッション部の高さよりも低く、前記パッド部に平らに横たわる際に人体の頭、首、胸部が共に良好なサポートを得ることが可能であることを特徴とする請求項１に記載の健康マットレスの構造。
【請求項６】
前記溝部の幅は異なる体形の者に適合させるため、前記パッド部が設置される位置に基づき自由に調整され変更可能であることを特徴とする請求項１に記載の健康マットレスの構造。
【考案の詳細な説明】
【技術分野】
【０００１】
本考案は、寝具の構造に関し、特に健康マットレスの構造に関する。
【背景技術】
【０００２】
現在、材質の異なる数多い種類のマットレスが市販されているが、それぞれが異なる長所と欠点を有している。形状記憶マットレスは現在比較的人気が高く広範に使用されており、図１に示すように人体が横たわる際、人体の曲線カーブに合わせてフィットし、人体の各部位を均一にサポートできることがその特性である。しかしながら、マットレスを長期的に使用した後、マットレスの硬さが柔らかくなってしまったり、または人体の体重が増加した場合、図２に示すように人体がマットレスに横たわる際、胴体の胸腔部１および臀部２の脊椎が下方へとより深く落ち込み、胸腔部および臀部の湾曲が大きくなり、腰椎部３をとりわけ上方へと突出させることになる。このような状態での使用はかえって脊椎に圧力を加え、容易に変形させることにつながる。このほか、人体が横臥する場合、使用するマットレスがどんなに人体の肩部に対して柔軟であっても腕を圧迫することになり、腕の筋肉が痛くなり、痺れ等の状態を生み出していた。
【考案の開示】
【考案が解決しようとする課題】
【０００３】
本考案の主な目的は、身体体形の調整を補助する機能を備えた健康マットレスを提供することである。
【課題を解決するための手段】
【０００４】
上述の目的を達成するため、本考案の健康マットレスの構造はヘッドクッション部とパッド部とを含む。ヘッドクッション部は使用者の頭部をもたれかけさせるため決められた高さで突起する枕部を有し、前記枕部の一方の側は外側へ向かって延伸する片体であり、該片体の頂面には複数の結合部を設ける。パッド部は頂面と底面とを有し、該頂面は一方の側より他方の側へと向かって傾斜し、厚さは一方の側より他方の側へと向かって徐々に薄くなる。前記パッド部の底面には前記ヘッドクッション部の片体頂面の結合部位置に相対し、結合部を設ける。前記パッド部は前記ヘッドクッション部の片体頂面に設置され、結合部により前記片体の結合部と結合する。これにより、前記パッド部を設置する位置に基づき、前記ヘッドクッション部と前記パッド部との両者間には溝部が形成される。
【考案を実施するための最良の形態】
【０００５】
本考案の構造および効果をより詳細に説明するため、以下に実施例を挙げ、図面と合わせて説明する。
本考案の健康マットレスの構造は以下を含む。
ヘッドクッション部１０と、前記ヘッドクッション部に含まれる枕部１１を含み、該枕部１１は軟性材質により製造され、使用者の頭部をもたれかけさせるため決められた高さの突起を有する。前記枕部１１の一方の側は外側へ向かって延伸する片体１２であり、前記片体１２の頂面には複数の結合部１３を設ける。本実施例において前記片体は布製であり、且つ前記片体１２の頂面には前記結合部となる二つの粘着テープを設ける。
【０００６】
パッド部２０は頂面２１と底面２２とを有し、該頂面は一方の側より他方の側へと向かって傾斜し、その厚さは一方の側より他方の側へと向かって徐々に薄くなる。前記パッド部２０の最も厚いところの高さは前記ヘッドクッション部の高さよりも低く、前記パッド部２０の底面には前記ヘッドクッション部の片体１２の頂面の結合部１３と相対する位置に結合部２３を設ける。前記パッド部２０は前記ヘッドクッション部の片体１２の頂面に設置され、結合部２３によって前記片体の結合部１３と結合する。本実施例において、前記パッド部の底面には二つの粘着テープである二つの結合部を設け、前記片体の頂面に設置された粘着テープと互いに貼り合わされ、前記パッド部２０を前記片体１２に設置することができる。これにより、前記パッド部を設置する位置に基づき前記ヘッドクッション部１０と前記パッド部２０との両者間に溝部２４が形成される。前記溝部の幅は異なる体形の者に適合させるため、前記パッド部２０を設置する位置に基づき自由に調整し変えることができる。
【０００７】
このような構造により、本実施例は使用者がその使用時において前記ヘッドクッション部１０およびパッド部２０を直接平らに置いて設置するのみで良いものとし、一般的なベッド、床板、またはベッド板等のような如何なる平面においても設置することが可能である。使用者が前記パッド部に平らに横たわる場合、人体の頭部を前記ヘッドクッション部１０にもたれかけさせることができ、胴体の胸腔部は前記パッド部２０に落ち込む。こうして人体の頭、首、胸部は全て良好なサポートを得ることができる。同時に本実施例のパッド部２０の傾斜状の設計は、人体が平らに横たわる場合の胸腔部をわずかに前方へと向けさせ、胸腔が前方へと伸びて胸がはれるようにする効果をもたらし、背部の脊椎が前方への延性と展性によって腰椎部分が前方に向かって湾曲する弧度を減少させることができる。これにより、従来のマットレスにおける胸腔部および臀部脊椎の湾曲が大きくなることで腰椎部がとりわけ上方へ向かって突出するという問題を修正し、改善することが可能となる。
【０００８】
このほか、図５に示すように本実施例では前記ヘッドクッション部１０および前記パッド部２０との間に溝部２４を形成するための決められた距離を残すことにより、横臥する場合、腕を前記溝部２４に放置すると脇より下の胸腔部分が傾斜する凸部の突起の高さによるサポートを得て、腕に圧力がかからなくなる。このようにして腕の筋肉が痛くなったり痺れたりするといった状況が生じるのを防ぐため、腕を前記溝部内に落ち込ませ、人体肩部の腕に対する圧迫を減少させることができる。同時に、前記ヘッドクッション部と前記パッド部との間に予め設けられた高度差は横臥する場合の人体に合わせることが可能であり、使用者が横臥した際の身体の脊椎は直線を呈し、高低差のある湾曲した状態は見られなくなる。
【０００９】
このほか、前記ヘッドクッション部１０の底部には、前記パッド部２０と前記ヘッドクッション部１０との間の距離が片体１２の移動による影響を受けないように板片３０を別に設置することが可能である。前記板片はプラスチックもしくはその他の似た材質により製造され、前記片体１２が人体の移動または反転により、移動またはねじれ等を引き起こし、前記溝部２４の幅に影響を与えないためのサポートに用いられる。
【００１０】
本考案の長所は以下の通りである。
１．腰背骨の筋肉痛の減少。
平らに横たわる時、パッド部によるサポートは起立している時のように上半身を前傾させ、腰椎を伸ばす作用をもたらし、腰背骨の筋肉の痛みを減少させることができる。
２．いびきの減少。
平らに横たわる時、いびきが発生する可能性を減少するため、人体の頭、首、胸が一直線となるようにし、気管が圧迫される、または塞がれる状態等を減少することが可能である。
３．横向きに眠る、または丸まって眠る時、腕が圧迫されることなく、痛みや痺れがなくなる。
横向きに眠る、または丸まって眠る時、腕は前記溝部内に置かれ、自分あるいはパートナーの身体による圧迫を受けることは無く、血流が滞ることによる腕の痛みや痺れといった状態が生じることを防止できる。
【図面の簡単な説明】
【００１１】
【図１】従来のパッドの使用状態を示す説明図である。
【図２】従来のパッドの使用状態を示す説明図である。
【図３】本考案の一実施例による健康マットレスの構造を示す立体分解図である。
【図４】本考案の一実施例による健康マットレスの構造の使用状態を示す説明図である。
【図５】本考案の一実施例による健康マットレスの構造の別の使用状態を示す説明図である。
【符号の説明】
【００１２】
１０：ヘッドクッション部、１１：枕部、１２：片体、１３：結合部、２０：パッド部、２１：頂面、２２：底面、２３：結合部、２４：溝部、３０：板片
【図１】
0003129197.tif 000003
【図２】
0003129197.tif 000004
【図３】
0003129197.tif 000005
【図４】
0003129197.tif 000006
【図５】
0003129197.tif 000007